(57)【要約】  コネクタが、互いに嵌合するように設計されたベース部材とキャップとを有している。ベース部材又はキャップは、コネクタユニットの全体としての安定性、強度、及び耐久性を改善するための二重壁構成を有してもよい。ベース部材は複数のリブを有し、それらのリブは電線収容チャネルを形成し、少なくとも１つの溝をリブの間に有している。キャップは、ベース部材のリブの溝内に嵌合するように構成された導電性接続プレートを有している。接続プレート自体が溝を有し、その溝は、ベース部材のリブのチャネルと整列し、それによってチャネル内に収納された少なくとも１つのケーブルの絶縁物を切断し除去するように構成されている。
2010509713.tif 000002
【特許請求の範囲】
【請求項１】
複数の電線を接続するための電線コネクタであって、
複数の並列する細長いリブを有するベース部材にして、前記リブが、複数の電線を支持するようになされた電線収容チャネルを形成するベース部材であって、少なくとも１つの溝が、前記リブの各々の間に、前記チャネルに概ね垂直に延び、前記ベース部材が、内表面及び外表面を有する壁部材を有し、前記壁部材が、前記リブを収納し、前記壁部材と前記リブとの間の隙間を含めた、前記ベース部材内の空洞を画定するベース部材と、
前記ベース部材に嵌合するようになされたキャップであって、端壁と、内側壁及び外側壁を備える１対の側壁とを有し、前記内側壁及び外側壁の双方が、内表面及び外表面を有し、前記キャップと前記ベース部材を互いに係合するように移動させるのに十分な力が加えられることに応じて、前記ベース部材の壁部材が、前記キャップの側壁の間に挿入されたとき、前記キャップの内側壁が、前記ベース部材の空洞の一部分に侵入し、前記キャップの外側壁が、前記ベース部材の壁部材の一部分を囲むように、前記キャップの内側壁の外表面が、前記ベース部材の壁部材の内表面とかみ合うように構成され、前記キャップの外側壁の内表面が、前記ベース部材の壁部材の外表面とかみ合うように構成されているキャップと、
前記キャップに貼り付けられ前記ベース部材内の溝内に嵌合するようになされたプレートを備える導電性接続部材であって、前記キャップの端壁の内部表面において前記キャップによって支持され、前記側壁内に収納され、前記プレートが、少なくとも１つのスロットを有し、各スロットが、前記リブのチャネルの各々と整列するように構成されており、それによって、前記接続部材が、前記リブのチャネル内に配置された複数の電線との効果的な導電性接触をもたらすようになされている導電性接続部材と、を備える電線コネクタ。
【請求項２】
前記壁部材の外側の前記ベース部材から、前記壁部材に実質的に平行に延びる外側の強力部材を更に備え、前記強力部材が、前記キャップの前記外側壁の少なくとも一部分を覆いかつ保持する、請求項１に記載のコネクタ。
【請求項３】
前記ベース部材の前記壁部材の厚さが、前記キャップの前内側壁の外表面と前記キャップの外側壁の内表面との間の距離に実質的に等しい、請求項１に記載のコネクタ。
【請求項４】
前記コネクタが閉じた接続位置にあるとき、前記コネクタのすべての間隙を含めた前記コネクタの全容積を充填するようになされた形状適合シーラントを更に備える、請求項１に記載のコネクタ。
【請求項５】
複数の電線を接続するための電線コネクタであって、
端壁と、内表面及び外表面を有する側壁とを有するキャップと、
前記キャップの上に嵌合するようになされたベース部材であって、内側壁部材及び外側壁部材を備える１対の壁部材を有し、前記内側壁部材及び外側壁部材の双方が、内表面及び外表面を有し、前記キャップと前記ベース部材を互いに係合するように移動させるのに十分な力が加えらることに応じて、前記キャップの前記側壁が前記ベース部材の壁部材の間に挿入されたとき、前記ベース部材の内側壁部材が前記キャップの内方部分に侵入し、かつ前記ベース部材の外側壁部材が前記キャップの側壁の一部分を囲むように、前記ベース部材の内側壁部材の外表面が、前記キャップの側壁の内表面とかみ合うように構成され、前記ベース部材の外側壁部材の内表面が、前記キャップの側壁の外表面とかみ合うように構成されているベース部材と、
前記ベース部材から延び前記内側壁部材内に収納される複数の並列する細長いリブであって、複数の電線を支持するようになされた電線収容チャネルを形成し、少なくとも１つの溝が、前記リブの各々の間に、前記チャネルに概ね垂直に延びるリブと、
前記キャップに貼り付けられ前記ベース部材内の溝内に嵌合するようになされたプレートを備える導電性接続部材であって、前記キャップの端壁の内部表面において前記キャップによって支持され、前記側壁内に収納され、前記プレートが、少なくとも１つのスロットを有し、各スロットが、前記リブのチャネルの各々と整列するように構成されており、それによって、前記接続部材が、前記リブのチャネル内に配置された複数の電線との効果的な導電性接触をもたらすようになされている導電性接続部材と、を備える電線コネクタ。
【請求項６】
前記側壁の外側で前記キャップから、前記側壁に実質的に平行に延びる外側の強力部材を更に備え、前記強力部材が、前記ベース部材の外側壁部材の少なくとも一部分を覆いかつ保持する、請求項５に記載のコネクタ。
【請求項７】
前記ベース部材の壁部材の厚さが、前記キャップの内側壁の外表面と前記キャップの外側壁の内表面との間の距離と実質的に同様である、請求項５に記載のコネクタ。
【請求項８】
前記コネクタが、閉じた接続位置にあるとき、前記コネクタのすべての間隙を含む前記コネクタの全容積を充填するようになされた形状適合シーラントを更に備える、請求項５に記載のコネクタ。
【請求項９】
複数の電線を接続するための電線コネクタであって、
内側壁及び外側壁を備える１対の壁部材を有するベース部材であって、前記内側壁及び前記外側壁の双方が内表面及び外表面を有するベース部材と、
端壁と、内側壁及び外側壁を備える１対の側壁とを有し、前記内側壁及び前記外側壁の双方が内表面及び外表面を有するキャップと、
前記キャップと前記ベース部材が互いに係合するように移動させるのに十分な力が加えられることに応じて、前記ベース部材の内側壁の外表面とかみ合うように構成された前記キャップの内側壁の内表面、前記ベース部材の外側壁の内表面とかみ合うように構成された前記キャップの内側壁の外表面、及び、前記ベース部材の外側壁の外表面とかみ合うように構成された前記キャップの外側壁の内表面と、
前記ベース部材から延び前記ベース部材の前記内側壁内に収納される複数の並列する細長いリブであって、複数の電線を支持するようになされた電線収容チャネルを形成し、少なくとも１つの溝が、前記リブの各々の間に、前記チャネルに概ね垂直に延びるリブと、
前記キャップに貼り付けられ前記ベース部材内の溝内に嵌合するようになされたプレートを備える導電性接続部材であって、前記キャップの端壁の内部表面において前記キャップによって支持され、前記側壁内に収納され、前記プレートが、少なくとも１つのスロットを有し、各スロットが、前記リブの前記チャネルの各々と整列するように構成されており、それによって、前記接続部材が、前記リブの前記チャネル内に配置された前記複数の電線との効果的な導電性接触をもたらすようになされている導電性接続部材と、を備える電線コネクタ。
【請求項１０】
複数の電線を接続するための電線コネクタであって、
内側壁及び外側壁を備える１対の壁部材を有するベース部材であって、前記内側壁及び前記外側壁の双方が内表面及び外表面を有するベース部材と、
端壁と内側壁及び外側壁を備える１対の側壁とを有し、前記内側壁及び前記外側壁の双方が内表面及び外表面を有するキャップと、
前記キャップと前記ベース部材とが互いに係合するように移動させるのに十分な力が加えられることに応じて、前記キャップの内側壁の外表面とかみ合うように構成された前記ベース部材の内側壁の内表面、前記キャップの外側壁の内表面とかみ合うように構成された前記ベース部材の内側壁の外表面、及び、前記キャップの外側壁の外表面とかみ合うように構成された前記ベース部材の外側壁の内表面と、
前記ベース部材から延び前記ベース部材の内側壁内に収納される複数の並列する細長いリブであって、複数の電線を支持するようになされた電線収容チャネルを形成し、少なくとも１つの溝が、前記リブの各々の間に、前記チャネルに概ね垂直に延びるリブと、
前記キャップに貼り付けられ前記ベース部材内の溝内に嵌合するようになされたプレートを備える導電性接続部材であって、前記キャップの端壁の内部表面において前記キャップによって支持され、前記側壁内に収納され、前記プレートが、少なくとも１つのスロットを有し、各スロットが、前記リブの前記チャネルの各々と整列するように構成されており、それによって、前記接続部材が、前記リブのチャネル内に配置された複数の電線との効果的な導電性接触をもたらすようになされている導電性接続部材と、を備える電線コネクタ。
【発明の詳細な説明】
【技術分野】
【０００１】
本発明は、二重壁コネクタに関する。
【背景技術】
【０００２】
結線に代わって絶縁を達成するための圧接コネクタが、電気産業において電線を接続する通常の方法として用いられてきた。そのような電線コネクタは、多くの場合、１本以上の絶縁電線を受容するためのチャネルを有するベース部材と、好適な接点要素を支持するキャップとを有している。
【０００３】
従来のコネクタに伴う１つの共通した問題として、ある種のケーブル絶縁物を切断し導線を接続するのに必要な大きな力が加えられると、接点要素は、揺れたり、完全に安定な状態を維持するのに失敗したりすることがある。この不安定性は、接点要素がケーブル絶縁物を貫き導線を接続しようと試みるときにキャップに対する垂直方向の安定化効果が存在せず、それによって、キャップ自体が、水平方向に、又はベース部材に向かう望ましい垂直方向以外の方向に、揺れたり移動したりし得るなど、幾分か不安定となるという事実によって悪化する。キャップと接点要素との相対的な不安定性は、増加する力の作用下で増大する。更に、キャップ及び／又は接点部材が完全に又は部分的に破損する危険性もまた、力の作用が増加すると増大する。そのような予想される展開の結果、操作者が、多くの場合、許容される垂直な方式でキャップをベース部材に完全にかつ円滑に押し付け、それによって、許容される垂直な方式で接点部材をケーブル絶縁物に押し込もうと苦心するとき、操作者のフラストレーション又は不安を生じることになる。
【発明の概要】
【発明が解決しようとする課題】
【０００４】
コネクタユニットの全体としての相対的な強度、安定性、及び耐久性を向上させるような改善が、当該技術分野において望まれている。
【課題を解決するための手段】
【０００５】
本発明の様々な別の実施形態が、例えば、多数の並列する細長いリブを有するベース部材を含むことができ、これらのリブは、電線収容チャネルを形成する。電線収容チャネルは、複数の電線を支持することができる。少なくとも１つの溝が、リブの各々の間に、チャネルに概ね垂直に延びる。ベース部材は、内表面及び外表面を有する壁部材を有し、その壁部材はリブを収納する。壁部材とリブとの間の隙間を含めたベース部材内の空洞が画定される。
【０００６】
本発明の実施形態はまた、例えば、ベース部材に嵌合することができるキャップを有することができる。キャップは、端壁と内側壁及び外側壁を有する１対の側壁とを有し、内側壁及び外側壁の双方は、内表面及び外表面を有する。キャップの内側壁の外表面は、ベース部材の壁部材の内表面とかみ合うことができる。キャップの外側壁の内表面は、ベース部材の壁部材の外表面とかみ合うことができる。ベース部材の壁部材がキャップの側壁の間に挿入されると、キャップの内側壁は、ベース部材の空洞の一部分に侵入することができ、キャップの外側壁は、ベース部材の壁部材の一部分を囲むことができる。そのような協働的な関係は、キャップとベース部材が相互に係合するように移動させるのに十分な力が加えられたことに応答して達成される。
【０００７】
本発明の実施形態はまた、例えば、キャップに貼り付けられたプレートを有する導電性部材を有することができる。キャップのプレートは、ベース部材内の溝内に嵌合することができる。接続部材は、キャップの端壁の内部表面においてキャップによって支持され、側壁内に収納される。プレート自体が、少なくとも１つのスロットを有している。プレートの各スロットは、リブのチャネルの各々と整列することができる。このように、接続部材は、リブのチャネル内に配置された多数の電線との効果的な導電性接触をもたらすことができる。
【０００８】
この概要の例は、包括することを意図したものではなく、本明細書で後に、より詳細に説明されるように、他の様々な別の実施形態が考えられる。
【図面の簡単な説明】
【０００９】
【図１】本発明の実施形態によるベース部材の等角図。
【図２】図１のベース部材の平面図。
【図３】図１のベース部材の側面図。
【図４】本発明の実施形態によるキャップの等角図。
【図５】図４のキャップの平面図。
【図６】図５のキャップの横断側面図。
【図７】本発明の実施形態による別のキャップの等角図。
【図８】図８のキャップの平面図。
【図９】図７のキャップの横断側面図。
【図１０】本発明の別の実施形態によるベース部材の等角図。
【図１１】本発明の別の実施形態によるキャップの等角図。
【図１２】本発明の別の実施形態によるベース部材の等角図。
【図１３】本発明の別の実施形態によるキャップの等角図。
【図１４】合わせて開いた非接続ユニットとした、ベース部材及びキャップの等角図。
【図１５】合わせて閉じた接続ユニットとし、ケーブルを中に用いたことを特徴とするベース部材及びキャップの等角図。
【発明を実施するための形態】
【００１０】
図１５に示すように、コネクタユニット１０は全体として、絶縁ベース部材１５と絶縁キャップ１７とを備えており、この絶縁ベース部材１５と絶縁キャップ１７は、電線１９がベース部材１５とキャップ１７との間のコネクタ１０の中に挿入されると、互いに嵌合していくつかの電線１９のいくつかの導線１８の間で電気接続部を形成する。電線は、例えば、１２ゲージ〜１８ゲージの範囲のサイズを有することができる。導線は、撚線であることも単線であることも、それら双方であることもできる。最終的な形態にある例示的なコネクタユニット１０が、図１５に示されている。
【００１１】
本発明の実施形態は、例えば、二重壁のキャップ１７に嵌合した一重壁のベース部材１５を有することができる。ベース部材１５及びキャップ１７の例示的な一実施形態が、図１〜６に示されている。ベース部材１５の実施形態は、例えば、多数の並列する細長いリブ２０を有することができ、これらのリブ２０は、接続される多数の対応する電線又は電線端部を、支持するか又は通すための電線収容チャネル２４を形成している。リブ２０は、ベース部材１５のスロート部分の端部で始まり、電線支持チャネル２４を形成する本体部分へと延びることができる。リブ２０によって形成された電線収容チャネル２４は、管状の電線がその電線チャネル２４を通じて延びかつ支持されることが可能となるように、管状、円筒状、又は輪状の空間であることができる。リブ２０の電線収容チャネル２４は、コネクタ１０において接続される電線の外径の一部分と実質的にかみ合う内径を有することができる。電線収容チャネル２４は、ベース部材１５の内側部分でリブ２０から形成され得、かつ／又は、電線収容チャネル２４は更に、例えば、絶縁ケーブルがコネクタ１０に入るベース部材１５の外側部分に向かって延びることもできる。多数のリブ２０は、少なくとも１つの溝２６が、リブの各々の間に、チャネル２４と概ね垂直に延びて、キャップ１７上の接続部材６０のレッグ６２を収容するように離間され得る。
【００１２】
また、ベース部材１５は、例えば、ベース部材１５の末端部分から延びリブ２０を囲む壁部材３０を有することができる。壁部材３０は、内表面３２及び外表面３４を有している。壁部材３０の内表面３２は、壁部材３０とリブ２０との間の隙間を含む、ベース部材１５内の空洞３８を画定している。図に示すように、空洞３８、チャネル２４、及び溝２６はすべて、ベース部材１５の壁部材３０の中に画定された開放空間である。ベース部材の実施形態は、例えば、半透明であり、耐溶剤性があり、疎水性があり、弾性がある高分子材料であることができる。
【００１３】
図１〜６を再び参照すると、絶縁キャップ１７の実施形態は、例えば、端壁４２と、１対の周囲側壁４４、５０とを有することができる。側壁は、内表面４６及び外表面４８を有する内側壁４４と、内表面５２及び外表面４５を有する外側壁５０とを有することができる。キャップ１７の内側壁４４の外表面４８は、キャップ１７がベース部材１５に嵌合されると、ベース部材１５の壁部材３０の内表面３２とかみ合うことができる。キャップ１７の外側壁５０の内表面５２は、キャップ１７がベース部材１５に嵌合されると、壁部材３０の外表面３４とかみ合うことができる。このように、キャップ１７をベース部材１５に嵌合させる結果として、キャップ１７とベース部材１５を互いに向けて押し付けるのに十分な力が、キャップ１７の端壁４２に加えられたことに応答して、壁部材３０がキャップ１７の側壁４４と５０との間に挿入されるとき、キャップ１７の内側壁４４は、ベース部材１５の空洞３８の一部分に侵入することができ、キャップ１７の外側壁５０は、ベース部材１５の壁部材３０の一部分を囲むことができる。
【００１４】
本発明の実施形態は、例えば、キャップ１７に貼り付けることができ、かつ適切に取り付けられると良好な電気接触をもたらす、直線状で金属製の導電性の接続部材６０あるいは概ねＵ字型で金属製の導電性の接続部材６１を有することができる。接続部材６０は、キャップ１７の端壁４２の内表面においてキャップ１７によって支持され、キャップ１７の側壁４４、５０内に収納され得る。接続部材６０は、複数のレッグ６２の間に延びる少なくとも１つの深い切断接続スロット６４を有するプレートであり得る。接続部材６０の切断接続スロット６４は、ベース部材１５の電線支持チャネル２４と整列した関係でキャップ１７上に配置されている。スロット６４は、スロット６４によって切断される絶縁ケーブルの直径と比べて厚さがより小さく、かつ、変形され接続される導線の直径と比べてわずかに小さくあるべきである。接続部材６０内のスロット６４は、ベース部材１５内の溝２６内に嵌合するように、かつリブ２０の電線収容チャネル２４の各々と整列するように設計されており、それによって、接続部材６０は、キャップ１７とベース部材１５が互いに嵌合されると、リブ２０のチャネル２４内に配置された電線との効果的な導電性接触をもたらす。接続部材６０は、銅合金、例えば２６０カートリッジ黄銅（260 cartridge brass）など、約０．９１４４ｍｍ（０．０３６インチ）厚の導電性の延性金属から形成され得る。接続部材６０の硬度は、３／４の硬度又はＨ０３であり得る。
【００１５】
接続部材６０の例示的な実施形態が示すところによれば、接続部材６０は、単列で形成され得（図４〜６の通り）、また、接続部材６１は、別な方法で、複列で（図７〜９にあるような）形成され得る単列の接続部材６０（図４〜６）は、ベース部材１５のリブ２０の間に単一の溝２６を要し、複列の接続部材６１（図７〜９）は、ベース部材１５のリブ２０の間に複数の溝２６を要する。
【００１６】
いくつかの実施形態において、例えば、切断接続スロット６４の間に、より高度な柔軟性を接続部材６０のレッグ６２に与える間隙スロット６６が設けられる。したがって、材料が降伏点を超えて応力を受けていても、接続部材６０を形成する材料の弾性変形により、良好な電気接触を維持するための連続的な弾性力が電線上に絶えず存在する。そのような間隙スロット６６の特徴及び特性は、一般に当業者には理解される。
【００１７】
接続部材６０の幾何学的形状により、接続部材６０を破損することなく塑性変形が可能となる。このことは、スロット６４の間に設けられた間隙スロット６６の存在によって達成される。スロット６４の平行壁は、電線が裾広がりの入口に入るときに強制的に離されるので、電線は、スロット６４の一方の側で狭い帯状の材料をプレートの中央に向かって押し付け、それによって、間隙スロット６６が入口で強制的に閉ざされ、スロット６４のもう一方の側の材料が、プレート６０の端部に押しのけられる。おおよそ等しい動作が電線のそれぞれの側に存在する。更に、塑性変形を受けるときに接続部材６０が破損する傾向は、スロットの幅の１．５倍よりも幾分か大きな半径をスロット６４の底部に与えて、良好な電気接触をなす上での有効性を損なうことなく応力集中の減少をもたらすことによって減じられる。
【００１８】
接続部材６０の材料がスロット６４から接続部材６０の端部に向かって撓むことは、いくつかの実施形態において、電線接続位置にあるとき、接続部材６０のレッグ６２をベース部材１５の壁部材３０の内表面に対してしっかりと付勢するように働く。したがって、キャップ１７がベース部材１５に挿入されるとき、電線の導線１６との連結をなすことにより、いくつかの実施形態において、ベース１５へのキャップ１７の機械的締結を改善することもできる。
【００１９】
いくつかの実施形態において、後に水が侵入するのを制限するために、形状適合（conformable）シーラントが、電線接続部の効果的な封入剤として使用され得る。形状適合シーラントは、コネクタユニット１０が閉じた接続位置にあるときのコネクタユニット１０のすべての隙間を含めた全容積を好ましくは充填することができ、これは、結線がなされたときの管状の電線収容通路２４を充填することを含む。形状適合シーラントには、例えば、形状適合グリース、形状適合ジェル、軟質な塑性材料、ポリイソブチレン、ポリブテン合成ゴム、鉱油、非晶質シリカ、酸化防止剤、シリコーングリース、油展Ｋｒａｙｔｏｎ基剤を有するグリース、及び他の任意の好適な形状適合材料を挙げることができる。
【００２０】
ベース部材１５及びキャップ１７は、好ましくは半透明でかつ耐溶剤性のある柔軟な高分子材料から成形され得る。この材料は、一般に弾性があり、すなわち、良好な引張り強度及び１０％〜２０％の伸び率をもたらすのに十分な弾性係数を有している。これらの特性を有する例示的な材料が、ポリオレフィン、例えばポリカーボネートよりも安価なポリプロピレンである。あるいは、ナイロン材料が、ベース部材１５及びキャップ１７を構成するために使用され得る。
【００２１】
本発明の実施形態はまた、例えば、二重壁ベース部材１１５に嵌合した一重壁キャップ１１７を有するコネクタを含むこともできる。ベース部材１１５及びキャップ１１７の別の例示的な実施形態が、図１０〜１１に示されている。キャップ１１７の実施形態は、例えば、端壁１２０と、内表面１２４及び外表面１２６を有する側壁１２２とを含むことができる。
【００２２】
ベース部材１１５の実施形態は、例えば、内側壁部材１３０及び外側壁部材１４０を含めた１対の壁部材１３０、１４０を有することができる。内側壁部材１３０は、内表面１３２及び外表面１３４を有することができ、外側壁部材１４０は、内表面１４２及び外表面１４４を有することができる。ベース部材１１５の内側壁部材１３０の外表面１３４は、キャップ１１７がベース部材１１５に嵌合されると、キャップ１１７の側壁１２２の内表面１２４とかみ合うことができる。ベース部材１１５の外側壁部材１４０の内表面１４２は、キャップ１１７がベース部材１１５に嵌合されると、キャップ１１７の側壁１２２の外表面１２６とかみ合うことができる。このように、キャップ１１７をベース部材１１５に嵌合する結果として、キャップ１１７とベース部材１１５を互いに向けて押し付けるのに十分な力が、キャップ１１７の端壁１２０に加えられたことに応答して、キャップ１１７の側壁１２２が、ベース部材１１５の壁部材１３０と１４０との間に挿入されたとき、ベース部材１１５の内側壁部材１３０は、キャップ１１７の内方部分に侵入することができ、ベース部材１１５の外側壁部材１４０は、キャップ１１７の側壁１２２の一部分を囲むことができる。
【００２３】
ベース部材１１５の実施形態は、例えば、多数の並列する細長いリブ１５０を有することができ、これらのリブ２０は、接続される多数の対応する電線又は電線端部を支持するか又は通すための電線収容チャネル１５２を形成している。リブ１５０は、ベース部材１１５のスロート部分の端部で始まり、電線支持チャネル１５２を形成する本体部分の中へと延びることができる。リブ１５０によって形成された電線収容チャネル１５２は、管状の電線がその電線収容チャネル１５２を通じて延びかつ支持されることが可能となるように、管状、円筒状、又は輪状の空間であり得る。電線収容チャネル１５２は、コネクタにおいて接続される電線の外径の一部分と実質的にかみ合う内径を有することができる。多数のリブ１５０は、少なくとも１つの溝１５４が、リブの各々の間に、チャネル１５２に概ね垂直に延びて、キャップ１１７上の接続部材１６０のレッグ１６２を収容するように離間され得る。ベース部材１１５の内側壁部材１３０はリブ１５０を囲み、それによって、リブ１５０と内側壁部材１３０との間の隙間を含めた、ベース部材内の空洞１５６を画定することができる。
【００２４】
図１０〜１１を再び参照すると、本発明の実施形態は、例えば、キャップ１１７に貼り付けることができ、かつ適切に取り付けられると電線との良好な電気接触をもたらす金属製の導電性の接続部材１６０又は接触要素１６０を有することができる。接続部材１６０は、キャップ１１７の端壁１２０の内表面においてキャップ１１７によって支持され、キャップ１１７の側壁１２２内に収納され得る。接続部材１６０は、複数のレッグ１６２の間に延びる少なくとも１つの深い切断接続スロット１６４を有するプレートであり得る。接続部材１６０の切断接続スロット１６４は、ベース部材１１５の電線支持チャネル１５２と整列した関係でキャップ１１７上に配置されている。スロット１６４は、スロット１６４によって切断される絶縁ケーブルの直径と比べて厚さがより小さく、かつ、接続される導線の直径と比べてわずかに小さくあるべきである。接続部材１６０内のスロット１６４は、ベース部材１１５内の溝１５４内に嵌合するように、かつリブ１５０の電線収容チャネル１５２の各々と整列するように設計されており、それによって、接続部材１６０は、キャップ１１７とベース部材１１５が互いに嵌合されると、リブ１５０のチャネル１５２内に配置された電線との効果的な導電性接触をもたらす。
【００２５】
本発明の実施形態はまた、例えば、二重壁ベース部材２１５に嵌合した二重壁ベース部材キャップ２１７を有するコネクタを含むこともできる。ベース部材２１５及びキャップ２１７の別の例示的な実施形態が、図１２〜１３に示されている。
【００２６】
ベース部材２１５の実施形態は、内側壁部材２２０及び外側壁部材２３０を含む１対の壁部材２２０、２３０を有することができる。ベース部材２１５の内側壁２２０は、内表面２２２及び外表面２２４を有することができ、ベース部材２１５の外側壁２３０は、内表面２３２及び外表面２３４を有することができる。キャップ２１７の実施形態は、内側壁２４０及び外側壁２５０を含む１対の側壁２４０、２５０を有することができる。キャップ２１７の内側壁２４０は、内表面２４２及び外表面２４４を有することができ、キャップ２１７の外側壁２５０は、内表面２５２及び外表面２５４を有することができる。
【００２７】
本発明の実施形態は、例えば、ベース部材２１５から延びる多数の並列する細長いリブ２６０を有することができ、これらのリブ２６０は、ベース部材２１５の内側壁２２０内に収納され得る。リブ２６０は、複数の電線を支持する電線収容チャネル２６２を形成することができる。少なくとも１つの溝２６４が、リブ２６０の各々の間に、チャネル２６２に概ね垂直に延びることができる。
【００２８】
本発明の実施形態は、例えば、キャップ２１７に貼り付けることができ、適切に取り付けられると電線との良好な電気接触をもたらす金属製の導電性の接続部材２７０又は接触要素２７０を有することができる。接続部材２７０は、キャップ２１７の端壁の内表面においてキャップ２１７によって支持され、キャップ２１７の内側壁２４０内に収納されることができる。接続部材２７０は、複数のレッグ２７２の間に延びる少なくとも１つの深い切断接続スロット２７４を有するプレートであり得る。接続部材２７０の切断接続スロット２７４は、ベース部材２１５の電線支持チャネル２６２と整列した関係でキャップ２１７上に配置されている。スロット２７４は、スロット２７４によって切断される絶縁ケーブルの直径と比べて、厚さがより小さくあるべきである。接続部材２７０内のスロット２７４は、ベース部材２１５内の溝２６４内に嵌合するように、かつリブ２６０の電線収容チャネル２６２の各々と整列するように設計されており、それによって、接続部材２７０は、キャップ２１７とベース部材２１５が互いに嵌合されると、リブ２６０のチャネル２６２内に配置された電線との効果的な導電性接触をもたらす。
【００２９】
一実施形態において、例えば、キャップ２１７とベース部材２１５とを互いに係合するように移動させるのに十分な力が加えられたことに応答して、キャップ２１７の内側壁２４０の内表面２４２は、ベース部材２１５の内側壁２２０の外表面２２４とかみ合い、キャップ２１７の内側壁２４０の外表面２４４は、ベース部材２１５の外側壁２３０の内表面２３２とかみ合い、キャップ２１７の外側壁２５０の内表面２５２は、ベース部材２１５の外側壁２３０の外表面２３４とかみ合う。
【００３０】
別の実施形態において、例えば、キャップ２１７とベース部材２１５とを互いに係合するように移動させるのに十分な力が加えられたことに応答して、ベース部材２１５の内側壁２２０の内表面２２２は、キャップ２１７の内側壁２４０の外表面２４４とかみ合い、ベース部材２１５の内側壁２２０の外表面２２４は、キャップ２１７の外側壁２５０の内表面２５２とかみ合い、ベース部材２１５の外側壁２３０の内表面２３２は、キャップ２１７の外側壁２５０の外表面２５４とかみ合う。
【００３１】
コネクタの様々な実施形態が、限定はしないが以下を含む利点を有している。例えば、本発明の実施形態は、コネクタユニットの全体としての相対的な強度、安定性、及び耐久性を向上させることができる。このように、例えば、接続部材は、取り付けの間に揺れる可能性をより低くすることができ、また、ケーブル絶縁物を切断するのに必要な力が加えられたときに安定な状態を維持し、効果的な接続をなす可能性をより高くすることができる。結果として、時間と共にコネクタユニットの全体としての耐久性を増加させる、一方向の安定効果を実現することができる。増加する力の作用下で、ベース部材及びキャップは、適切な接続がなされ、ベース部材とキャップが互いに接合して単一の閉じたコネクタユニットを生じるまで、比較的強固でかつ安定な状態を維持することができる。
【００３２】
いくつかの実施形態において、コネクタは、ベース部材とキャップとが互いに嵌合されていることを含めた閉じた接続位置にあるとき、有利にも、ＵＬ４８６Ｄ−Ｓｅｑｕｅｎｃｅ  Ｄによって規定された試験のすべての面に合格する特徴を呈することができる。いくつかの実施形態において、コネクタは、ベース部材とキャップとが互いに嵌合されていることを含めた閉じた接続位置にあるとき、有利にも、ＵＬ４８６Ｄ−Ｓｅｑｕｅｎｃｅ  Ｅによって規定された試験のすべての面に合格する特徴を呈することができる。他の実施形態が、限定はしないが多数の種々の産業における、とりわけＵＬ４８６Ｃ、ＵＬ４８６Ｄ（Ｓｅｑｕｅｎｃｅｓ  Ａ〜Ｃ）、他の様々なＵＬ及びＣＳＡ試験を含んだ試験を含めて、様々な産業における別の試験に合格する特徴を代わりに呈してもよい。本発明の実施形態は、自動車産業、ＲＶ産業、潅漑産業、電気産業、電気通信産業、及びコネクタを利用する他の任意の好適な産業において利用され得る。
【００３３】
上述の詳細な説明は、多数の具体的な詳細を解説の目的で含んでいるが、その詳細に対する多数の変形例、変更例、修正例が、特許請求される本発明の範疇に含まれることは、当業者には理解されよう。したがって、詳細な説明において述べられた本発明は、特許請求する本発明にいかなる制限をも課すことなく記載されている。例えば、「装着された」、「接続された」、「取り付けられた」、「接合された」、「結合された」などの用語に対するいかなる言及も、間接的に、直接的に、かつ／又は複合的に達成されたような「装着する」、「接続する」、「取り付ける」、「接合する」、「結合する」などを含むように、広義に解釈されるべきである。本発明の適切な範疇は、特許請求の範囲及びその適当な法的等価物によって定められるべきである。
【図１】
2010509713.tif 000003
【図２】
2010509713.tif 000004
【図３】
2010509713.tif 000005
【図４】
2010509713.tif 000006
【図５】
2010509713.tif 000007
【図６】
2010509713.tif 000008
【図７】
2010509713.tif 000009
【図８】
2010509713.tif 000010
【図９】
2010509713.tif 000011
【図１０】
2010509713.tif 000012
【図１１】
2010509713.tif 000013
【図１２】
2010509713.tif 000014
【図１３】
2010509713.tif 000015
【図１４】
2010509713.tif 000016
【図１５】
2010509713.tif 000017
【国際調査報告】
2010509713.tif 000018
2010509713.tif 000019